(57)【要約】【課題】水道水への自動切換が可能であり、複数の供給先が存在する場合であっても安価に排水を供給できる排水再利用装置装置を提供すること。【解決手段】排水を貯めることができる排水槽１と、排水槽１内の排水を吸い込んで供給先４に供給するポンプ２と、ポンプ２と供給先４を接続する排水供給路３と、原水路と排水槽１を接続する原水供給路６と、原水供給路６に設けられた電磁弁７と、制御部１９とを備え、排水槽１内の排水が所定量以下になったことが検出されると、制御部１９が電磁弁７を開き水道水を供給するようにした。【選択図】図１
2005281975.tif 000002
【特許請求の範囲】
【請求項１】
排水を貯めることができる排水槽と、前記排水槽内の排水を吸い込んで供給先に供給するポンプと、前記ポンプと前記供給先を接続する排水供給路と、原水路と前記排水槽を接続する原水供給路と、前記原水供給路に設けられた電磁弁と、制御部とを備え、排水槽内の排水が所定量以下になったことが検出されると、前記制御部が前記電磁弁を開くことを特徴とする排水再利用装置。
【請求項２】
前記排水供給路には、排水供給路内の水流の有無を検出する流動センサが設けられ、前記流動センサによって排水供給路内の水流が検出されると前記制御部が前記ポンプの運転を開始し、流動センサによって排水供給路内の水流が検出されなくなると前記制御部が前記ポンプの運転を停止する請求項１に記載の排水再利用装置。
【請求項３】
前記ポンプが、前記排水供給路内の水圧が所定値以下になったときに自動的に運転を開始し、前記排水供給路内の水圧が所定値を超えたときに自動的に運転を停止する水圧式ポンプである請求項１に記載の排水再利用装置。
【発明の詳細な説明】
【技術分野】
【０００１】
本発明は、家庭内の風呂、台所、洗面台等から排出される排水を水洗トイレの洗浄水や洗濯用水その他の水として再利用する排水再利用装置に関する。
【背景技術】
【０００２】
水資源の有効利用が求められるなか、家庭内等から排出される排水の再利用が検討されており、特許文献１には、風呂の残り水を洗濯用水及び水洗トイレの洗浄水として再利用するための装置が開示されている。
【０００３】
また、本願出願人は、特願２００３−７８３１５において、残り水（排水）がなくなったときに、水道水への自動切換えを行うようにした排水再利用装置を提案した。
【０００４】
図４は、特願２００３−７８３１５で提案した排水再利用装置の基本構成を示す。同図に示す排水再利用装置は、浴槽５１と、浴槽５１内の排水を吸い込んで水洗トイレ５３に供給する水中ポンプ５２と、水中ポンプ５２と水洗トイレ５３を接続する排水供給路５４と、水道水供給管である原水路（図示せず）と水洗トイレ５３を接続する原水供給路５５と、水中ポンプ５２の運転等を制御するコントローラ５６とを備えている。そして、原水供給路５５には電磁弁５７が設けられ、浴槽５１内の排水が所定量以下になったことが水センサ５８によって検出されると、コントローラ５６が水中ポンプの運転を停止するとともに、電磁弁５７を開く。これによって水道水が水洗トイレ５３のロータンク５３ａに供給される。水道水の供給は、水洗トイレ５３のロータンク５３ａに設けた水センサ５９によって満水が検出されると電磁弁５７が閉止して停止される。一方、水中ポンプ５２によって排水を供給する際には、水洗トイレ５３のロータンク５３ａに設けた水センサ５９によって満水が検出されると、コントローラ５６が水中ポンプ５２の運転を停止する。
【０００５】
さらに、図４の排水再利用装置では、原水供給路５５に、電磁弁５７を迂回するバイパス路６０が設けられており、停電等のトラブルによって電磁弁５７が開放できなくなったときには、バイパス路６０に設けた手動バルブ６１を開放して水道水を水洗トイレ５３のロータンク５３ａに供給可能としている。
【０００６】
しかし、図４に示す排水再利用装置では、上述のとおり、水洗トイレ５３への原水供給路５５に電磁弁５７とバイパス管６０と手動バルブ６１を設ける必要あるので、浴槽５１から複数の水洗トイレに排水を供給するようにした場合、それぞれの水洗トイレへの原水供給路に電磁弁とバイパス管と手動バルブを設ける必要が生じ、コストが高くなるという問題があった。さらに、複数の水洗トイレに排水を供給するためには、各水洗トイレ５３のロータンク５３ａに設けた水センサ５９からのセンサ信号を受信するために一つのコントローラ５６から各水洗トイレ５３への配線が必要となり、配線作業等の設置作業が大変で、設置コストも高くなるという問題があった。
【特許文献１】特開平１０−２０４９４２号公報
【発明の開示】
【発明が解決しようとする課題】
【０００７】
本発明が解決しようとする課題は、水道水への自動切換が可能であり、複数の供給先が存在する場合であっても安価に排水を供給できる排水再利用装置を提供することにある。
【課題を解決するための手段】
【０００８】
本発明の排水再利用装置装置は、排水を貯めることができる排水槽と、前記排水槽内の排水を吸い込んで供給先に供給するポンプと、前記ポンプと前記供給先を接続する排水供給路と、原水路と前記排水槽を接続する原水供給路と、前記原水供給路に設けられた電磁弁と、制御部とを備え、排水槽内の排水が所定量以下になったことが検出されると、前記制御部が前記電磁弁を開くことを特徴とするものである。
【０００９】
本発明の排水再利用装置において、前記ポンプの運転の制御は、前記排水供給路に設けた流動センサからの信号によって行うことができる。すなわち、前記流動センサによって排水供給路内の水流が検出されると前記制御部が前記ポンプの運転を開始し、前記流動センサによって排水供給路内の水流が検出されなくなると前記制御部が前記ポンプの運転を停止するようにすることができる。
【００１０】
また、流動センサは必ずしも必要ではない。流動センサを設けない場合は、前記ポンプとして、前記排水供給路内の水圧が所定値以下になったときに自動的に運転を開始する水圧式ポンプを用いることができる。
【発明の効果】
【００１１】
本発明では、水道水を供給するための原水供給路を排水槽に接続し、排水槽内の排水が所定量以下になったときに、原水供給路に設けた電磁弁が開いて水道水が排水槽内に供給されるので、水道水へ自動切換が円滑に行われ、ポンプの空運転を防止できる。また、供給先が複数存在する場合であっても、原水供給路及び電磁弁等の付帯機器は一つで済むので安価となる。
【００１２】
さらに、排水供給路内に設けた流動センサによってポンプの運転を制御するか、又は、排水供給路内の水圧により自動的に運転を開始若しくは停止する水圧式ポンプを用いることにより、排水槽側の制御部から供給先への配線が不要となる。したがって、供給先が複数存在する場合であっても、設置作業が簡単で安価となる。
【発明を実施するための最良の形態】
【００１３】
以下、図面に示す実施例に基づき本発明の実施の形態を説明する。
【実施例１】
【００１４】
図１は、本発明の第１実施例に係る排水再利用装置の構成図である。排水再利用装置は、排水を貯めることができる排水槽１を備えており、排水槽内１の排水は、水中ポンプ２により排水供給路３を介して複数の水洗トイレ４のロータンク４ａに供給される。
【００１５】
排水槽１へは、浴槽等（図示せず）からの排水が排水分別装置５を経由して供給される。排水分別装置５は、濁度センサ、ｐＨセンサ、化学物質感知センサ等のセンサを備え、再利用が可能な排水のみを分別して排水槽１へ供給する。一方、排水槽１へは、水道供給管である原水路（図示せず）からの水道水が原水供給路６を介して供給可能である。原水供給路６には電磁弁７が設けられ、さらに、電磁弁７を迂回するバイパス路８が設けられている。バイパス路８には手動バルブ９が設けられている。
【００１６】
排水槽１の内部には、水中ポンプ２の吸い込み口よりも上方位置に水センサ１０が設けられている。また、排水槽１と水洗トイレ４のロータンク４ａとを接続する排水供給路３には、排水槽１側から順に、逆止弁１１、流動センサ１２、電磁弁１３及び逆止弁１４が設けられている。
【００１７】
排水の供給先である水洗トイレ４のロータンク４ａには、停電等のトラブル時に水道水を供給するための水道水供給管１５が接続されている。水道水供給管１５の中途には手動バルブ１６が設けられ、先端にはボールタップ１７が設けられている。また、ロータンク４ａの内部には、水センサ１８が設けられている。
【００１８】
上述の水道水供給管１５からは、水洗トイレ４の局部洗浄器（図示せず）に洗浄水を供給する洗浄水供給管１５ａが分岐されている。この洗浄水供給管１５ａは手動バルブ１６の上流側から分岐されているので、局部洗浄器には常に水道水を供給することができる。また、洗浄水供給管１５ａからは、水洗トイレ４のロータンク４ａ上部の手洗いに水道水を供給するため手洗い水供給管１５ｂが分岐されており、手洗い水供給管１５ｂの途中には電磁弁１５ｃが設けられている。
【００１９】
図１に示す排水再利用装置は、２つのコントローラ（制御部）１９，２０を備えている。排水槽１側のコントローラ１９は、水センサ１０と流動センサ１２からのセンサ信号を受けて、原水供給路６の電磁弁７の開閉及び水中ポンプ２の運転を制御する。一方、水洗トイレ４側のコントローラ２０は、水センサ１８からのセンサ信号を受けて、排水供給路３の電磁弁１３及び手洗い水供給管１５ｂの電磁弁１５ｃの開閉を制御する。
【００２０】
以上の構成において、ロータンク４ａ内の水位が下がって水センサ１８がそれを検知すると、まず、コントローラ２０が手洗い水供給路１５ｂの電磁弁１５ｃを所定時間だけ開放する。これによって、水洗トイレ４使用後の手洗いが可能となる。次に、コントローラ２０は、手洗い水供給路１５ｂの電磁弁１５ｃを開放してから数秒後に排水供給路３の電磁弁１３を開放する。これに伴い、排水供給路３内にロータンク４ａ方向への水流が発生し、流動センサ１２がこれを検知する。流動センサ１２が排水供給路３内の水流を検知すると、コントローラ１９が水中ポンプ２を作動させる。これによって、排水槽１内の排水がロータンク４ａに供給される。
【００２１】
その後、ロータンク４ａが満水になって水センサ１８がそれを検知すると、コントローラ２０が電磁弁１３を閉止する。これに伴い、排水供給路３内の水流が停止し、流動センサ１２がこれを検知する。流動センサ１２によって排水供給路３内の水流が検知されなくなると、コントローラ１９が水中ポンプ２を停止させる。このとき、排水供給路３の排水槽１側には逆止弁１１が設けられているので、排水供給路３内には所定圧力の排水が封入されることになる。この圧力が、電磁弁１３が開放されたとき排水供給路３内にロータンク４ａ方向への水流を発生させる駆動力となる。
【００２２】
一方、排水供給量不足等によって排水槽１内の水位が下がって水センサ１０がそれを検知すると、コントローラ１９が原水供給路６の電磁弁７を開放する。これによって、排水槽１に原水供給路６から水道水が供給される。その後、排水槽１内の水位が水センサ１０の位置を超えると水センサ１０がそれを検知し、コントローラ１９が所定時間後に原水供給路６の電磁弁７を閉止し、水道水の供給が停止される。このように、排水が不足している場合であっても原水供給路６から自動的に水道水が供給されるので、水中ポンプ２が空運転することはない。また、原水供給路６からの水道水の供給は自動的に停止されるので、水道水が無駄使いされることもない。
【００２３】
なお、原水供給路６の電磁弁７の故障等によって電磁弁７を介しての水道水の供給ができない場合は、バイパス路８に設けた手動バルブ９を手動で開けて水道水を供給する。また、停電等のトラブルによって排水槽１からロータンク４ａへの排水の供給ができない場合は、ロータンク４ａに接続した水道供給管１５の手動バルブ１６を手動で開けて水道水を供給可能とする。水道供給管１５の先端にはボールタップ１７が設けられているので、通常の水洗トイレと同様に使用の度毎に水道水が供給され不具合が生じることはない。
【００２４】
以上のとおり、本実施例では、排水槽１側のコントローラ１９から各水洗トイレ４への配線が不要であり、水洗トイレ４側のコントローラ２０は水洗トイレ４毎に個別に取り付けることができるので、供給先となる水洗トイレ４が複数存在する場合であっても、排水再利用装置の設置作業が簡単で安価となる。
【実施例２】
【００２５】
図２は、本発明の第２実施例に係る排水再利用装置の構成図である。第１実施例の排水再利用装置では、排水供給路に電磁弁を設けコントローラで開閉を制御するようにしたが、本実施例では排水供給路３に電磁弁を設けておらず、その代わり排水供給路３の先端にボールタップ２１を設けている。その他の構成は第１実施例と同一であるので、図２において第１実施例と同一の構成には第１実施例と同一の符号を付して説明を省略する。
【００２６】
以上の構成において、ロータンク４ａ内の水位が下がるとボールタップ２１が下降して内蔵されている弁が開放する。これに伴い、第１実施例と同様に、排水供給路３内にロータンク４ａ方向への水流が発生し、流動センサ１２がこれを検知する。流動センサ１２が排水供給路３内の水流を検知すると、コントローラ１９が水中ポンプ２を作動させる。これによって、排水槽１内の排水がロータンク４ａに供給される。
【００２７】
その後、ロータンク４ａが満水になるとボールタップ２１が上昇して内蔵されている弁が閉止する。これに伴い、第１実施例と同様に、排水供給路３内の水流が停止し、流動センサ１２がこれを検知する。流動センサ１２によって排水供給路３内の水流が検知されなくなると、コントローラ１９が水中ポンプ２を停止させる。その他の動作、機能は第１実施例と同様である。
【００２８】
このように、本実施例では、供給先の水洗トイレ４側にコントローラを設ける必要がないので、より安価となる。
【実施例３】
【００２９】
図３は、本発明の第３実施例に係る排水再利用装置の構成図である。本実施例は、第１実施例の水中ポンプに代えて水圧式ポンプ２２を用いたものである。図３において第１実施例と同一の構成には第１実施例と同一の符号を付して説明を省略する。
【００３０】
水圧式ポンプ２２は、排水供給路３内の水圧が所定値以下になったときに自動的に運転を開始し、水圧が所定値を超えたときに自動的に停止するものである。したがって、第１実施例のように、排水供給路３に流動センサを設ける必要がなく、また、水圧式ポンプ２２をコントローラ１９と接続する必要もない。
【００３１】
以上の構成において、ロータンク４ａの水位が下がって水センサ１８がそれを検知すると、コントローラ２０が電磁弁１３を開放する。これによって、排水供給路３内の水圧が低下し水圧式ポンプ２２が自動的に運転を開始する。
【００３２】
その後、ロータンク４ａが満水になって水センサ１８がそれを検知すると、コントローラ２０が電磁弁１３を閉止する。水圧式ポンプ２２は暫くの間は運転を継続するが、電磁弁１３が閉止されたことで、排水供給路３内の水圧が上昇し所定の水圧を超えると自動的に停止する。水圧式ポンプ２２の運転停止後、排水供給路３内の水圧は次に電磁弁１３が開放されるまで所定の水圧を超えたままに保持される。次に電磁弁１３が開放されると、上述のように排水供給路３内の水圧が低下し水圧式ポンプ２２が自動的に運転を開始する。その他の動作、機能は第１実施例と同様である。
【００３３】
このように、本実施例では、排水供給路３に流動センサを設ける必要がなく、また、水圧式ポンプ２２をコントローラ１９と接続する必要もないので、より安価となる。
【００３４】
以上の各実施例では、排水を水洗トイレの洗浄水として再利用する例を説明したが、洗濯その他の水として再利用することもできる。
【図面の簡単な説明】
【００３５】
【図１】本発明の第１実施例に係る排水再利用装置の構成図である。
【図２】本発明の第２実施例に係る排水再利用装置の構成図である。
【図３】本発明の第３実施例に係る排水再利用装置の構成図である。
【図４】従来の排水再利用装置の構成図である。
【符号の説明】
【００３６】
１  排水槽
２  水中ポンプ
３  排水供給路
４  水洗トイレ
４ａ  ロータンク
５  排水分別装置
６  原水供給路
７  電磁弁
８  バイパス路
９  手動バルブ
１０  水センサ
１１  逆止弁
１２  流動センサ
１３  電磁弁
１４  逆止弁
１５  水道水供給管
１５ａ  洗浄水供給管
１５ｂ  手洗い水供給管
１５ｃ  電磁弁
１６  手動バルブ
１７  ボールタップ
１８  水センサ
１９、２０  コントローラ
２１  ボールタップ
２２  水圧式ポンプ
５１  浴槽
５２  水中ポンプ
５３  水洗トイレ
５４  排水供給路
５５  原水供給路
５６  コントローラ
５７  電磁弁
５８、５９  水センサ
６０  バイパス路
６１  手動バルブ
【図１】
2005281975.tif 000003
【図２】
2005281975.tif 000004
【図３】
2005281975.tif 000005
【図４】
2005281975.tif 000006